(57)【特許請求の範囲】
【請求項１】
他の事業者が有する情報処理装置であって、番組のコンテンツデータをケーブルテレビ網を介して受信装置に配信する情報処理装置から供給される前記受信装置の契約情報を記憶する記憶手段と、
前記記憶手段に記憶されている前記契約情報に基づいて、前記受信装置に固有の個別情報を生成する生成手段と、
前記コンテンツデータおよび前記生成手段により生成された前記個別情報を、前記情報処理装置および前記ケーブルテレビ網を介して前記受信装置に送信する第1の送信手段と、
前記受信装置の視聴情報を、前記情報処理装置を介さずに前記受信装置から収集する収集手段と、
前記収集手段により収集された前記視聴情報に基づいて視聴料金を算出する算出手段と、
前記算出手段により算出された前記視聴料金を前記情報処理装置に送信する第２の送信手段と
を備える送信装置。
【請求項２】
送信装置が、
他の事業者が有する情報処理装置であって、番組のコンテンツデータをケーブルテレビ網を介して受信装置に配信する情報処理装置から供給される前記受信装置の契約情報の記憶を制御する記憶制御ステップと、
前記記憶制御ステップの処理で記憶が制御された前記契約情報に基づいて、前記受信装置に固有の個別情報を生成する生成ステップと、
前記コンテンツデータおよび前記生成ステップの処理により生成された前記個別情報を、前記情報処理装置および前記ケーブルテレビ網を介して前記受信装置に送信する第１の送信ステップと、
前記受信装置の視聴情報を、前記情報処理装置を介さずに前記受信装置から収集する収集ステップと、
前記収集ステップの処理により収集された前記視聴情報に基づいて視聴料金を算出する算出ステップと、
前記算出ステップの処理により算出された前記視聴料金を前記情報処理装置に送信する第２の送信ステップと
を含む送信方法。
【請求項３】
受信装置の契約情報を入力する入力手段により入力された前記契約情報を記憶する記憶手段と、
前記記憶手段に記憶された前記契約情報のうちの所定の情報を、他の事業者が有する送信装置に供給する供給手段と、
前記送信装置から送信されてくる、番組のコンテンツデータ、前記契約情報に基づく前記受信装置に固有の個別情報、および、前記送信装置が前記受信装置から収集した視聴情報に基づいて算出した前記受信装置の視聴料金を示す課金データを受信する受信手段と、
前記受信手段により受信された前記コンテンツデータおよび前記個別情報をケーブルテレビ網を介して前記受信装置に配信する配信手段と、
前記受信手段により受信された前記課金データに基づいて、前記受信装置への視聴料金の請求処理を行う請求手段と
を備える情報処理装置。
【請求項４】
前記請求手段は、前記送信装置からの前記課金データに基づいてPPV（Page Per View）番組の請求処理を行い、前記記憶手段に記憶されている前記契約情報に基づいて定額番組の請求処理を行う
請求項３に記載の情報処理装置。
【請求項５】
情報処理装置が、
受信装置の契約情報を入力する入力手段により入力された前記契約情報の記憶を制御する記憶制御ステップと、
前記記憶制御ステップの処理で記憶が制御された前記契約情報のうちの所定の情報を、他の事業者が有する送信装置に供給する供給ステップと、
前記送信装置から送信されてくる、番組のコンテンツデータ、前記契約情報に基づく前記受信装置に固有の個別情報、および、前記送信装置が前記受信装置から収集した視聴情報に基づいて算出した前記受信装置の視聴料金を示す課金データを受信する受信ステップと、
前記受信ステップの処理により受信された前記コンテンツデータおよび前記個別情報をケーブルテレビ網を介して前記受信装置に配信する配信ステップと、
前記受信ステップの処理により受信された前記課金データに基づいて、前記受信装置への視聴料金の請求処理を行う請求ステップと
を含む情報処理方法。
【請求項６】
第１の事業者が有する送信装置から第２の事業者が有する情報処理装置に送信される番組のコンテンツデータおよび受信装置に固有の個別情報を、前記情報処理装置からケーブルテレビ網を介して受信する受信手段と、
前記番組の視聴情報を記憶する記憶手段と、
前記記憶手段により記憶された前記視聴情報を、前記情報処理装置を介さずに前記送信装置に送信する送信手段と
を備える受信装置。
【請求項７】
受信装置が、
第１の事業者が有する送信装置から第２の事業者が有する情報処理装置に送信される番組のコンテンツデータおよび前記受信装置に固有の個別情報を、前記情報処理装置からケーブルテレビ網を介して受信する受信ステップと、
前記番組の視聴情報の記憶を制御する記憶制御ステップと、
前記制御ステップの処理により記憶が制御された前記視聴情報を、前記情報処理装置を介さずに前記送信装置に送信する送信ステップと
を含む受信方法。
【発明の詳細な説明】
【０００１】
【発明の属する技術分野】
本発明は、送信装置および方法、情報処理装置および方法、受信装置および方法、並びに記録媒体に関し、特に顧客管理とデータ処理を、CATV事業者と衛星放送サービス事業者とで分離・分担することにより、CATV事業者のデジタル配信サービスを低コストで行うことができるようにした送信装置および方法、情報処理装置および方法、受信装置および方法、並びに記録媒体に関する。
【０００２】
【従来の技術】
近年、ケーブルテレビ（CATV：Cable Television）事業者は、通信衛星を介して供給されるデジタル多チャンネル番組を受信し、自らが有するネットワーク（ケーブルテレビ網）を利用して各視聴者宅に配信サービスするようになってきた。
【０００３】
CATV事業者の配信サービスは、以下のようなステップから構成される。
【０００４】
（１）衛星放送サービス事業者から提供される多チャンネルサービスを、CATV局のアンテナで受信し、再送信したい番組データを含むトランスポートストリーム（TS：Transport Stream）信号を選択する。
【０００５】
（２）選択したTS信号のうち、再送信したい番組データのみを抽出する。このとき、番組データに施されるスクランブル（暗号化）は、衛星放送サービス事業者との契約に基づいて行われ、CATV局に受信されると、そのスクランブルは解除される。
【０００６】
（３）各TS信号から抽出された番組データとCATV局で生成された番組に付随するEPG（Electronic Program Guide）データやCAS（Conditional Access System）データを再多重化し、CATV局独自のTS信号を生成し、CATV施設内に配信する。
【０００７】
（４）（２）または（３）において、TS信号のうち、統計多重化方式等が利用されているTS信号の場合には、再多重化処理の際に、破綻回避目的などにより、一旦、アナログ信号に復号され、再度、デジタルデータにエンコードされた番組を用いることができる。
【０００８】
【発明が解決しようとする課題】
このように、CATV事業者の配信サービスは、通信衛星を介して送信されてくる多重化された信号を分離して、再度、多重化させる等の処理を自前のシステムで行うことができる。
【０００９】
しかしながら、サービス地域の限定されているCATV事業者では、初期の設備投資やサービス開始後の運用費用などの負担が大きかった。
【００１０】
また、運用費用を抑えるために、例えば、EPGサービス（電子番組案内サービス）などを実施しないような簡易システムにすることも考えられるが、衛星放送サービス事業者との格差が目立ち、顧客獲得競争において不利になる課題があった。
【００１１】
本発明はこのような状況に鑑みてなされたものであり、顧客管理とデータ処理を、CATV事業者と衛星放送サービス事業者とで分離・分担することにより、CATV事業者のデジタル配信サービスを、低コストで実現することができるようにするものである。
【００１２】
【課題を解決するための手段】
請求項１に記載の送信装置は、他の事業者が有する情報処理装置であって、番組のコンテンツデータをケーブルテレビ網を介して受信装置に配信する情報処理装置から供給される受信装置の契約情報を記憶する記憶手段と、記憶手段に記憶されている契約情報に基づいて、受信装置に固有の個別情報を生成する生成手段と、コンテンツデータおよび生成手段により生成された個別情報を、情報処理装置およびケーブルテレビ網を介して受信装置に送信する第1の送信手段と、受信装置の視聴情報を、情報処理装置を介さずに受信装置から収集する収集手段と、収集手段により収集された視聴情報に基づいて視聴料金を算出する算出手段と、算出手段により算出された視聴料金を情報処理装置に送信する第２の送信手段とを備える。
【００１３】
請求項２に記載の送信方法は、送信装置が、他の事業者が有する情報処理装置であって、番組のコンテンツデータをケーブルテレビ網を介して受信装置に配信する情報処理装置から供給される受信装置の契約情報の記憶を制御する記憶制御ステップと、記憶制御ステップの処理で記憶が制御された契約情報に基づいて、受信装置に固有の個別情報を生成する生成ステップと、コンテンツデータおよび生成ステップの処理により生成された個別情報を、情報処理装置およびケーブルテレビ網を介して受信装置に送信する第１の送信ステップと、受信装置の視聴情報を、情報処理装置を介さずに受信装置から収集する収集ステップと、収集ステップの処理により収集された視聴情報に基づいて視聴料金を算出する算出ステップと、算出ステップの処理により算出された視聴料金を情報処理装置に送信する第２の送信ステップとを含む。
【００１５】
請求項３に記載の情報処理装置は、受信装置の契約情報を入力する入力手段により入力された契約情報を記憶する記憶手段と、記憶手段に記憶された契約情報のうちの所定の情報を、他の事業者が有する送信装置に供給する供給手段と、送信装置から送信されてくる、番組のコンテンツデータ、契約情報に基づく受信装置に固有の個別情報、および、送信装置が受信装置から収集した視聴情報に基づいて算出した受信装置の視聴料金を示す課金データを受信する受信手段と、受信手段により受信されたコンテンツデータおよび個別情報をケーブルテレビ網を介して受信装置に配信する配信手段と、受信手段により受信された課金データに基づいて、受信装置への視聴料金の請求処理を行う請求手段とを備える。
請求項４に記載の情報処理装置においては、請求手段は、送信装置からの課金データに基づいてPPV（Page Per View）番組の請求処理を行い、記憶手段に記憶されている契約情報に基づいて定額番組の請求処理を行う。
【００１６】
請求項５に記載の情報処理方法は、情報処理装置が、受信装置の契約情報を入力する入力手段により入力された契約情報の記憶を制御する記憶制御ステップと、記憶制御ステップの処理で記憶が制御された契約情報のうちの所定の情報を、他の事業者が有する送信装置に供給する供給ステップと、送信装置から送信されてくる、番組のコンテンツデータ、契約情報に基づく受信装置に固有の個別情報、および、送信装置が受信装置から収集した視聴情報に基づいて算出した受信装置の視聴料金を示す課金データを受信する受信ステップと、受信ステップの処理により受信されたコンテンツデータおよび個別情報をケーブルテレビ網を介して受信装置に配信する配信ステップと、受信ステップの処理により受信された課金データに基づいて、受信装置への視聴料金の請求処理を行う請求ステップとを含む。
【００１８】
請求項６に記載の受信装置は、第１の事業者が有する送信装置から第２の事業者が有する情報処理装置に送信される番組のコンテンツデータおよび受信装置に固有の個別情報を、情報処理装置からケーブルテレビ網を介して受信する受信手段と、番組の視聴情報を記憶する記憶手段と、記憶手段により記憶された視聴情報を、情報処理装置を介さずに送信装置に送信する送信手段とを備える。
【００１９】
請求項７に記載の受信方法は、受信装置が、第１の事業者が有する送信装置から第２の事業者が有する情報処理装置に送信される番組のコンテンツデータおよび受信装置に固有の個別情報を、情報処理装置からケーブルテレビ網を介して受信する受信ステップと、番組の視聴情報の記憶を制御する記憶制御ステップと、制御ステップの処理により記憶が制御された視聴情報を、情報処理装置を介さずに送信装置に送信する送信ステップとを含む。
【００２１】
請求項１に記載の送信装置、および請求項２に記載の送信方法においては、他の事業者が有する情報処理装置であって、番組のコンテンツデータをケーブルテレビ網を介して受信装置に配信する情報処理装置から供給される受信装置の契約情報が記憶され、記憶されている契約情報に基づいて、受信装置に固有の個別情報が生成され、コンテンツデータおよび生成された個別情報が、情報処理装置およびケーブルテレビ網を介して受信装置に送信され、受信装置の視聴情報が、情報処理装置を介さずに受信装置から収集され、収集された視聴情報に基づいて視聴料金が算出され、算出された視聴料金が情報処理装置に送信される。
【００２２】
請求項３に記載の情報処理装置、および請求項５に記載の情報処理方法においては、受信装置の契約情報が記憶され、契約情報のうちの所定の情報が、他の事業者が有する送信装置に供給され、送信装置から送信されてくる、番組のコンテンツデータ、契約情報に基づく受信装置に固有の個別情報、および、送信装置が受信装置から収集した視聴情報に基づいて算出した受信装置の視聴料金を示す課金データが受信され、受信されたコンテンツデータおよび個別情報がケーブルテレビ網を介して受信装置に配信され、受信された課金データに基づいて、受信装置への視聴料金の請求処理が行われる。
【００２３】
請求項６に記載の受信装置、および請求項７に記載の受信方法においては、第１の事業者が有する送信装置から第２の事業者が有する情報処理装置に送信される番組のコンテンツデータおよび受信装置に固有の個別情報が、情報処理装置からケーブルテレビ網を介して受信され、番組の視聴情報が記憶され、記憶された視聴情報が、情報処理装置を介さずに送信装置に送信される。
【００２４】
【発明の実施の形態】
図１は、本発明を適用したデジタルCATV配信システムの一実施の形態の構成を示すブロック図である。このデジタルCATV配信システムにおいては、衛星放送サービスシステム１のアンテナ２２から通信衛星２を介して送信されてくるデジタル放送信号等が、CATVシステム３のアンテナ３１により受信され、CATVシステム３からケーブルテレビ網４を介して視聴者システム５の受信機４１に配信される。
【００２５】
番組編成システム／番組編成管理システム（PMS：Program Management System／BDPS：Broadcast Data Processing System）１１は、図示せぬ番組供給事業者より供給された番組の編成などを管理しており、番組の編成データをネットワークマネジメントデータベース（NMD：Network Management Database）１２に供給する。NMD１２は、供給された番組の編成データに基づいて、放送する番組のコンテンツデータをエンコーダ１９に出力し、エンコードさせるとともに、その番組に対応する番組番号を発生し、関連情報送出装置１８に供給する。NMD１２はまた、番組番号を、顧客管理システム（SMS）１３に供給する。
【００２６】
顧客管理システム（SMS：Subscriber Management Subsystem）１３は、各顧客（視聴者）が保持しているICカード４２のID番号と、そのID番号に対応する顧客の番組視聴契約状況が保存されているデータベース１５を管理するシステムであり、番組番号で指定された番組を顧客に視聴させる条件などを記述した契約情報を各顧客毎に生成し、顧客視聴許可鍵管理システム（SAS）１７に供給する。SMS１３はまた、ビューログ収集システム１４を監視し、視聴者システム５の受信機４１より新たな視聴情報が入力された場合、データベース１５に、新たに入力された視聴情報を保存する。
【００２７】
顧客視聴許可鍵管理システム（SAS：Subscriber Authorization Subsystem）１７は、顧客に番組の視聴を許可する暗号鍵を発行し、その暗号鍵を保存および管理するシステムであり、暗号鍵の一種である各番組毎に設定されるワーク鍵kw、発行された全てのICカード４２のカードID（識別情報）、およびICカード４２のそれぞれに対応する個別鍵などを記憶している。
【００２８】
SAS１７はまた、SMS１３から供給される各顧客毎の契約情報と、その契約の対象とされている番組のワーク鍵kwを含む個別情報（EMM：Entitlement Management Message）を、その顧客の個別鍵で暗号化し、マルチプレクサ２０に出力するとともに、ワーク鍵kwを、関連情報送出装置１８に出力する。EMMは、非暗号部分にカードIDを含む、それぞれの受信機４１に対して固有の情報である。
【００２９】
ビューログ収集システム１４は、視聴者システム５の受信機４１に取り付けられているICカード４２より、定期的に電話回線６−２を介して送信されてくるICカード４２の視聴情報（視聴番組名、購入日、購入価格等）を収集し、データベース１５に保存する。
【００３０】
サーバ１６は、ビューログ収集システム１４で収集された視聴者の視聴情報をデータベース１５より読み出し、課金データ処理を実行し、その課金データ（視聴処理データ）をデータベース１５に保存する。サーバ１６はまた、CATVシステム３の顧客データベース管理部３３より電話回線６−１を介して送信されてきた顧客データ（ICカードID番号、視聴番組情報）をデータベース１５に保存する。さらに、サーバ１６は、CATVシステム３の顧客データベース管理部３３に対して視聴者のICカード４２を発行する。
【００３１】
エンコーダ１９は、NMD１２から供給された、放送する映像信号や音声信号をデジタル化および圧縮を行い、マルチプレクサ２０に出力する。
【００３２】
関連情報送出装置１８は、放送データをスクランブルするために必要となるスクランブル鍵ksを予め記憶しており、このスクランブル鍵ksをスクランブラ２１に出力する。関連情報送出装置１８はまた、予め記憶しているスクランブル鍵ksとNMD１２から供給された番組番号を含む共通情報（ECM：Entitlement Control Massage）を生成し、これをSAS１７から入力されたワーク鍵kwで暗号化し、マルチプレクサ２０に出力する。ECMは、番組に付随する情報であり、番組受信者に共通に送られる情報である。
【００３３】
マルチプレクサ２０は、エンコーダ１９から入力されたコンテンツデータ、SAS１７から入力されたEMM（個別鍵で暗号化されている）、および関連情報送出装置１８から入力されたECM（ワーク鍵kwで暗号化されている）を時分割多重化し、スクランブラ２１に出力する。
【００３４】
スクランブラ２１は、関連情報送出装置１８から供給されるスクランブル鍵ksを用いて、マルチプレクサ２０から供給された多重化信号のうち、コンテンツデータをスクランブル処理する。なお、EMMおよびECMは、制御のための情報であるので、スクランブル処理されない。契約情報が含まれたEMMは、正式に契約をした視聴者の受信機４１に個別に送られ（対応する視聴者の受信機４１だけが受信可能とされ）、ECMは、番組に付随する情報なので、全ての番組視聴者に共通に送られる（全ての受信機４１が受信可能とされる）。
【００３５】
従って、ICカード４２は、受信機４１により受信されたEMMをICカード４２に記憶されている個別鍵で復号し、ワーク鍵kwと契約情報を抽出する。そして、ICカード４２は、ワーク鍵kwを用いてECMを復号することにより、スクランブル鍵ksを抽出し、受信機４１に供給する。受信機４１は、供給されたスクランブル鍵ksを用いて、契約している番組のコンテンツデータをデスクランブルすることができる。
【００３６】
アンテナ２２は、スクランブラ２１でスクランブル処理されたデータを、直線偏波のCS（Communications Satellite）波として、通信衛星２を介してCATVシステム３のアンテナ３１に送信する。
【００３７】
CATVシステム３は、通信衛星２より送信されてくるCS波をアンテナ３１で受信し、トランスモジュレータ３２に供給する。トランスモジュレータ３２は、アンテナ３１を介して入力されたCS波をチャンネル毎のTS信号に分割し、ケーブルテレビの１つのチャンネル分の信号（QAM信号）に変換し、ケーブルテレビ網４を介して視聴者システム５の受信機４１に配信する。
【００３８】
顧客データベース管理部３３は、ケーブルテレビ網４を介して番組を配信する顧客（視聴者）の視聴番組情報と、顧客プロファイル（顧客氏名、ICカードID番号、および顧客住所など）が登録されているデータベースを管理する。顧客データベース管理部３３はまた、衛星放送サービスシステム１に代行して、視聴者から通知された加入申し込みを受けてその手続き処理（顧客データの入力など）を行う。さらに、顧客データベース管理部３３は、電話回線６−１を介して衛星放送サービスシステム１のサーバ１６と接続し、そこに、入力した顧客データを送信したり、衛星放送サービスシステム１のデータベース１５に保存されている視聴処理データをサーバ１６を介して読み出して確認したりする。
【００３９】
視聴者システム５の受信機４１は、送信されてきたデータに含まれるEMMのカードIDと、ICカード４２に記憶されているカードIDと一致するのか否かを判定し、一致すると判定した場合、ICカード４２は、ICカード４２に保存されている個別鍵を用いてEMMを復号し、ワーク鍵kwと契約情報を抽出する。そして、ICカード４２は、復号されたワーク鍵kwおよび契約情報を記憶する。これにより、契約番組の放送データを受信することが可能となる。
【００４０】
放送データを受信した場合、ICカード４２は、予め記憶されている契約情報と、受信機４１により復号された契約情報、すなわちEMMとを照合し、両者が一致する場合、受信した番組が視聴可能であるものとし、ワーク鍵kwを用いてECMを復号して、そこに含まれるスクランブル鍵ksを抽出し、受信機４１に供給する。受信機４１は、スクランブル鍵ksを用いて、コンテンツデータをデスクランブルし、テレビジョン受像機４３に出力する。テレビジョン受像機４３は、入力された番組を表示する。
【００４１】
さらに、受信機４１は、視聴者が図示せぬリモートコマンダなどを用いて行った操作に従って、番組契約のためのデータ（例えば、PPC（Pay Per Channel）による新たなチャンネルの視聴契約や、PPV（Pay Per View）による番組毎の視聴契約のためのデータ）である視聴情報を生成し、ICカード４２に記憶させる。この視聴情報は、受信機４１により、例えば、月に１回など所定のタイミングで読み出され、電話回線６−２を介して衛星放送サービスシステム１のビューログ収集システム１４に送信（アップロード）される。
【００４２】
次に、図２のフローチャートを参照して、CATVシステム３が実行する、データ送信およびデータ確認処理について説明する。なお、CATVシステム３の担当者がデータを送信したいとき、またはデータを確認したいとき、所定の操作を指令することにより、図３に示すような操作画面のGUIを、顧客データベース管理部３３の図示せぬディスプレイに表示させ、この処理は開始される。
【００４３】
ステップＳ１において、CATVシステム３の担当者は、図示せぬディスプレイに表示された図３のGUIに従って、CATV事業者名入力エリア６１にCATV事業者名を、CATV事業者コード入力エリア６２にCATV事業者コードを、パスワード入力エリア６３にパスワードを、顧客データベース管理部３３の図示せぬキーボードなどを用いてそれぞれ入力する。
【００４４】
顧客データベース管理部３３は、入力された情報が正しいか否かを照合し、入力情報が正しいと判定されると、ステップＳ２において、ディスプレイに表示されている、図３のGUIに、さらに、顧客データ入力エリア６４を表示させる。このように、不審者により操作されることを防ぐため、入力情報が正しいと判定されたときに、初めて、顧客データ入力エリア６４が表示される。
【００４５】
ステップＳ３において、顧客データベース管理部３３は、いま処理を実行しようとしているモードが転送モードであるのか否か、すなわち、顧客データ入力エリア６４にデータが入力されるモードであるのか否かを判定し、転送モードである（担当者が、確認ボタン６６を操作して、確認モードの設定の指令を入力していなければ、転送モードが設定される）と判定した場合、ステップＳ４に進み、CATVシステム３の担当者は、顧客データ入力エリア６４に必要な情報を入力する。
【００４６】
図３のGUIにおいて、CATVシステム３の担当者は、顧客指名入力エリア７１に顧客（視聴者）の氏名を、ICカードID番号入力エリア７２に顧客毎に発行されるICカード４２のID番号を、顧客住所入力エリア７３に顧客の住所を入力する。さらに、担当者は、視聴番組情報入力エリア７４に視聴希望番組の情報（チャンネル番号＝サービスID）を、支払い状況入力エリア７６にその顧客の支払い状況を、キーボードなどを用いてそれぞれ入力する。
【００４７】
支払い状況入力エリア７６においては、支払いの有無により、入金確認チェックエリア８１、または未納チェックエリア８２がチェックされる（図３の例の場合、入金確認チェックエリア８１がチェックされている）。
【００４８】
なお、後述する確認モードのとき、データベース１５に保存されている視聴処理データが読み込まれることにより、視聴処理データ表示エリア７５には視聴処理データが、支払い状況入力エリア７６の金額表示エリア８３には視聴番組の請求金額が、それぞれ表示される。
【００４９】
ステップＳ５において、顧客データベース管理部３３は、ステップＳ４で入力された入力内容が正しいか否かを判定し、正しくないと判定した場合、ステップＳ４に戻り、上述した処理を繰り返す。ステップＳ５において、ステップＳ４で入力された入力内容が正しいと判定された場合、ステップＳ６に進み、顧客データベース管理部３３は、サーバ１６（衛星放送サービスシステム１）へ転送する必要なデータのみを選択する。すなわち、転送される顧客データは、ICカード４２の鍵開け情報（EMM，ECM）を生成する際に必要になる、ICカードID番号と視聴番組情報のみである。
【００５０】
ステップＳ７において、顧客データベース管理部３３は、ステップＳ６で選択されたデータを暗号化する。そして、CATVシステム３の担当者により、図示せぬマウスなどを用いて、転送ボタン６５が選択されると、ステップＳ８に進み、顧客データベース管理部３３は、電話回線６−１を介してサーバ１６と接続する。ステップＳ９において、顧客データベース管理部３３は、ステップＳ７で暗号化されたデータをサーバ１６に転送する。
【００５１】
ステップＳ１０において、顧客データベース管理部３３は、データの転送が完了したのか否かを判定し、未だ転送途中であると判定した場合、ステップＳ９に戻り、上述した処理を繰り返す。ステップＳ１０において、データの転送が完了したと判定された場合、ステップＳ１５に進む。
【００５２】
また、ステップＳ３において、いま処理を実行しようとしているモードが転送モードではないと判定された場合、すなわち、確認モードであると判定された場合（CATVシステム３の担当者により、マウスなどを用いて、確認ボタン６６が選択されたと判定された場合）、ステップＳ１１に進み、顧客データベース管理部３３は、CATVシステム３の担当者からの指令に基づいて、電話回線６−１を介してサーバ１６と接続する。
【００５３】
ステップＳ１２において、顧客データベース管理部３３は、サーバ１６を介してデータベース１５に保存されている視聴処理データを取り込む。これにより、図３のGUIの視聴処理データ表示エリア７５に視聴処理データ（視聴番組名、購入日、購入価格）が、金額表示エリア８３に課金データ（視聴番組の請求金額）が、それぞれ表示される。ステップＳ１３において、CATVシステム３の担当者は、図３のGUIの視聴処理データや金額を確認する。
【００５４】
ステップＳ１４において、顧客データベース管理部３３は、確認処理が終了したのか否か、すなわち、CATVシステム３の担当者により、マウスなどを用いて、Closeボタン６７が選択されたか否かを判定し、未だ確認処理が終了していないと判定した場合、ステップＳ１２に戻り、上述したそれ以降の処理を繰り返す。ステップＳ１４において、確認処理が終了したと判定されると、ステップＳ１５に進む。
【００５５】
ステップＳ１０、またはステップＳ１４の処理の後、ステップＳ１５において、顧客データベース管理部３３は、電話回線６−１を介して接続されているサーバ１６との接続を解除し、処理は終了される。
【００５６】
次に、図４のフローチャートを参照して、衛星放送サービスシステム１が実行する課金データ処理について説明する。なお、衛星放送サービスシステム１の担当者が課金データ処理を実行したいとき、所定の操作を指令することにより、図５に示すような操作画面のGUIを、サーバ１６の図示せぬディスプレイに表示させ、この処理は開始される。
【００５７】
ステップＳ３１において、衛星放送サービスシステム１の担当者は、図５に表示されたGUIに従って、CATV事業者名入力エリア９１にCATV事業者名を、CATV事業者コード入力エリア９２にCATV事業者コードを、サーバ１６の図示せぬキーボードなどを用いてそれぞれ入力する。
【００５８】
ステップＳ３２において、サーバ１６は、ステップＳ３１で入力されたCATVシステム３に対応する契約データを表示させる。すなわち、サーバ１６は、ディスプレイに表示されている図５のGUIに、さらに、契約データ表示エリア９３−１，９３−２を表示させる。
【００５９】
図５のGUIにおいて、契約データ表示エリア９３−１，９３−２のICカードID番号表示エリア１０１−１，１０１−２は、図３のGUIのICカードID番号入力エリア７２に入力されたデータとそれぞれリンクされており、視聴番組情報表示エリア１０４−１，１０４−２は、図３のGUIの視聴番組情報入力エリア７４とそれぞれリンクされている。視聴処理データ１０５−１，１０５−２には、ビューログ収集システム１４により収集され、データベース１５に記憶されたICカード４２の視聴処理データが表示されている。
【００６０】
ステップＳ３３において、サーバ１６は、ステップＳ３２で読み出された操作画面が正しいか否か、すなわち、課金データ処理を実行しようとしているCATVシステム３の契約データであるのか否かを判定し、読み出された操作画面が正しいものではないと判定した場合、ステップＳ３１に戻り、上述したそれ以降の処理を繰り返す。
【００６１】
ステップＳ３３において、読み出された操作画面が正しいと判定された場合、ステップＳ３４に進み、衛星放送サービスシステム１の担当者は、データベース１５に保存されている各視聴者毎の処理データ（契約情報）を確認する。すなわち、衛星放送サービスシステム１の担当者は、図５のGUIの契約データ表示エリア９３−１，９３−２に表示されている各視聴者毎の契約データ（契約データ）を確認する。
【００６２】
ステップＳ３５において、サーバ１６は、SMS１３を制御し、データベース１５に保存されている契約情報を読み出させ、SAS１７に供給させる。このとき、SAS１７は、SMS１３から送出された契約情報を、ワーク鍵kwと組み合わせてEMMを生成し、各視聴者のICカード４２に固有の個別鍵を用いて暗号化する。SAS１７はまた、ワーク鍵kwを関連情報送出装置１８に出力する。関連情報送出装置１８は、スクランブル鍵ksと番組番号とでECMを生成し、ワーク鍵kwで暗号化する。暗号化されたEMMとECMは、マルチプレクサ２０でコンテンツデータに多重化され、スクランブラ２１に供給される。スクランブラ２１は、このうちのコンテンツデータをスクランブル鍵ksでスクランブルしてアンテナ２２から通信衛星２を介してCATVシステム３に送信する。
【００６３】
ステップＳ３６において、サーバ１６は、データベース１５に保存されている、ビューログ収集システム１４により収集されたICカード４２の視聴情報を取り込み、その視聴情報に基づいて、課金データ（視聴料金）処理を実行し、得られた課金データをデータベース１５に入力する。
【００６４】
ステップＳ３７において、サーバ１６は、EMM，ECM等の鍵情報が生成されているか否か、すなわち、受信機４１が契約番組を受信するために必要になるデータが送出されているのか否かを判定し、未だEMM，ECM等の鍵情報が生成されていないと判定した場合、ステップＳ３４に戻り、上述したそれ以降の処理を繰り返す。ステップＳ３７において、EMM，ECM等の鍵情報が生成されていると判定された場合、ステップＳ３８に進み、サーバ１６は、他のCATVシステム３のデータも確認する必要があるのか否かを判定し、他のCATVシステム３のデータも確認する必要があると判定した場合、ステップＳ３１に戻り、上述したそれ以降の処理を繰り返す。そして、ステップＳ３８において、他のCATVシステム３のデータを確認する必要がないと判定された場合、処理は終了される。
【００６５】
次に、図６のフローチャートを参照して、視聴者からの定額番組の加入手続きからCATVシステム３による視聴料金請求までの処理について説明する。なお、事前処理として、番組供給システム（図示せず）、衛星放送サービスシステム１（サーバ１６）、およびCATVシステム３（顧客データベース管理部３３）との間では、再送信同意などの契約、システムの購入、ICカードの貸与、および法的な必要手続きが既に執り行われている。
【００６６】
ステップＳ９１において、視聴者（顧客）は、衛星放送の加入申し込み希望をCATVシステム３に連絡する。ステップＳ７１において、CATVシステム３の顧客データベース管理部３３は、視聴者からの加入申し込み希望の連絡を受ける。ステップＳ７２において、顧客データベース管理部３３は、視聴者システム５に対してICカード４２を発行する（貸与する）。ステップＳ９２において、視聴者は、CATVシステム３より発行されたICカード４２を受け取り、受信機４１に装着する。
【００６７】
ステップＳ７３において、顧客データベース管理部３３では、CATVシステム３の担当者がキーボードを操作し、視聴者から取得した加入申し込みデータ（顧客データ等）の入力を行う（図３）。これにより、顧客氏名、ICカード４２のID番号、顧客住所、および視聴希望番組の情報（チャンネル番号＝サービスID）などが入力される。
【００６８】
必要な情報が入力されると、ステップＳ７４において、顧客データベース管理部３３は、電話回線６−１を介して衛星放送サービスシステム１（サーバ１６）と接続する。ステップＳ５１において、衛星放送サービスシステム１のサーバ１６は、電話回線６−１を介してCATVシステム３（顧客データベース管理部３３）と接続される。
【００６９】
ステップＳ７５において、顧客データベース管理部３３は、ステップＳ７３で入力された顧客データのうち、サーバ１６の課金データ処理に必要な顧客データ（ICカードID番号、および視聴番組情報）をサーバ１６へ転送する。ステップＳ５２において、サーバ１６は、顧客データベース管理部３３より送信されてきた顧客データを受信し、データベース１５に保存する。
【００７０】
ステップＳ５３において、サーバ１６は、受信したデータの確認を行う（図５）。そして、ステップＳ５４において、サーバ１６は、SMS１３を制御し、データベース１５に保存されている契約情報を読み出させ、SAS１７に供給させる。このとき、SAS１７は、SMS１３から送出された契約情報を、ワーク鍵kwと組み合わせてEMMを生成し、各視聴者のICカード４２に固有の個別鍵を用いて暗号化する。SAS１７はまた、ワーク鍵kwを関連情報送出装置１８に出力する。関連情報送出装置１８は、スクランブル鍵ksと番組番号とでECMを生成し、ワーク鍵kwで暗号化する。暗号化されたEMMとECMは、マルチプレクサ２０でコンテンツデータに多重化され、スクランブラ２１に供給される。スクランブラ２１は、このうちのコンテンツデータをスクランブル鍵ksでスクランブルしてアンテナ２２から通信衛星２を介してCATVシステム３のアンテナ３１に送信する。
【００７１】
ステップＳ７６において、CATVシステム３は、アンテナ３１で受信されたデータを、トランスモジュレータ２２により所定の処理を施し、ケーブルテレビ網４を介して視聴者システム５の受信機４１に再送信（配信）する。ステップＳ９３において、視聴者システム５の受信機４１は、送信されてきたデータを受信し、ICカード４２は、ICカード４２に保存されている個別鍵を用いてEMMを復号し、ワーク鍵kwと契約情報を抽出する。そして、ICカード４２は、復号されたワーク鍵kwおよび契約情報を記憶する。
【００７２】
ステップＳ５５において、サーバ１６は、顧客データベース管理部３３に対して、加入手続きが終了したこと、すなわち、契約番組を受信するために必要な情報がICカード４２に記憶されたことを通知する。ステップＳ７７において、顧客データベース管理部３３は、サーバ１６より手続き終了の通知を受ける。ステップＳ７８において、顧客データベース管理部３３は、電話回線６−１を介して接続されているサーバ１６との接続を解除する。ステップＳ５６において、サーバ１６は、顧客データベース管理部３３との接続が解除される。
【００７３】
そして、契約番組を送信する日時が到来すると、ステップＳ５７において、マルチプレクサ２０は、エンコーダ１９から入力されたコンテンツデータ、SAS１７から入力されたEMM、および関連情報送出装置１８から入力されたECMを時分割多重化し、スクランブラ２１に出力する。スクランブラ２１は、マルチプレクサ２０から供給された多重化信号のうち、コンテンツデータをスクランブル処理し、アンテナ２２を介してCATVシステム３のアンテナ３１に送信する。CATVシステム３は、ステップＳ７９において、アンテナ３１で受信されたデータを、トランスモジュレータ２２により所定の処理を施し、ケーブルテレビ網４を介して視聴者システム５の受信機４１に再送信（配信）する。
【００７４】
ステップＳ９４において、受信機４１は、送信されてきたデータを受信し、ECMをICカード４２に供給する。ICカード４２は、ステップＳ９３の処理で取得したワーク鍵kwを用いてECMを復号して番組情報（番組属性情報およびスクランブル鍵ks）を取得する。ステップＳ９３の処理で取得した契約情報とECMより取得した番組情報により視聴許可がなされた限定受信番組に関しては、ECMに含まれるスクランブル鍵ksが受信機４１に供給される。受信機４１は、ICカード４２より供給されたスクランブル鍵ksを用いて、コンテンツデータをデスクランブルし、テレビジョン受像機４３に出力する。そして、テレビジョン受像機４３は、入力された番組を表示する。
【００７５】
ステップＳ８０において、顧客データベース管理部３３は、上述したように、衛星放送サービスシステム１とCATVシステム３との間で、事前に、定額番組の課金データが決められているので、その課金データに基づいて、視聴者に対し、例えば、毎月ごとの課金データ（視聴料金）を請求する。ステップＳ９５において、視聴者は、CATVシステム３から視聴料金の請求を受ける。そして、ステップＳ９６において、視聴者は、決められた日までに視聴料金の支払いを行う。ステップＳ８１において、CATVシステム３は、視聴者からの視聴料金を受け取り、手数料を衛星放送サービスシステム１に支払う。
【００７６】
次に、図７のフローチャートを参照して、PPV番組の購入処理について説明する。
【００７７】
ステップＳ１４１において、視聴者（顧客）は、図示せぬリモートコマンダを操作して、PPV番組の購入手続きのために必要な視聴情報（視聴番組名、購入日、購入価格）を契約情報として入力する。この視聴情報（契約情報）は、ICカード４２に記憶される。
【００７８】
ステップＳ１１１において、PPV番組を送信する日時が到来すると、マルチプレクサ２０は、エンコーダ１９から入力されたコンテンツデータ、SAS１７から入力されたEMM、および関連情報送出装置１８から入力されたECMを時分割多重化し、スクランブラ２１に出力する。スクランブラ２１は、マルチプレクサ２０から供給された多重化信号のうち、コンテンツデータをスクランブル処理し、アンテナ２２から通信衛星２を介してCATVシステム３のアンテナ３１に送信する。CATVシステム３は、ステップＳ１３１において、アンテナ３１で受信されたデータを、トランスモジュレータ２２により所定の処理を施し、ケーブルテレビ網４を介して視聴者システム５の受信機４１に再送信（配信）する。
【００７９】
ステップＳ１４２において、受信機４１は、送信されてきたデータを受信し、EMMとECMをICカード４２に供給する。ICカード４２は、ICカード４２に保存されている個別鍵を用いてEMMを復号し、ワーク鍵kwと契約情報を抽出する。さらに、ICカード４２は、いま抽出された契約情報と、ステップＳ１４１の処理でICカード４２に記憶された契約情報（視聴情報）とを比較し、両者が一致した場合、その受信した番組が視聴可能な番組（購入したPPV番組）であるので、ワーク鍵kwを用いてECMを復号して、そこに含まれるスクランブル鍵ksを抽出し、受信機４１に供給する。受信機４１は、ICカード４２より供給されたスクランブル鍵ksを用いて、コンテンツデータをデスクランブルし、テレビジョン受像機４３に出力する。そして、テレビジョン受像機４３は、入力されたPPV番組を表示する。
【００８０】
ステップＳ１４３において、ICカード４２は、実際に受信した番組の履歴としての視聴情報（視聴番組名、購入日、購入価格）を記憶する。ステップＳ１４４において、受信機４１は、例えば、月に１回などの所定のタイミングで電話回線６−２を介してビューログ収集システム１４に接続する。ステップＳ１１２において、衛星放送サービスシステム１（ビューログ収集システム１４）は、電話回線６−２を介して視聴者システム５（受信機４１）と接続される。
【００８１】
ステップＳ１４５において、受信機４１は、ICカード４２に記憶されている視聴情報（視聴番組名、購入日、購入価格）を読み出し、電話回線６−２を介してビューログ収集システム１４にアップロード（送信）する。ステップＳ１１３において、ビューログ収集システム１４は、受信機４１からアップロードされたICカード４２に記憶されている視聴情報（ステップＳ１４３の処理で記憶された視聴情報）を収集し、データベース１５に保存する。
【００８２】
ステップＳ１１４において、サーバ１６は、データベース１５に保存された受信データの確認を行う（図５）。ステップＳ１１５において、サーバ１６は、データベース１５に保存されている視聴情報を読み出し、その視聴情報に基づいて、課金データ処理を実行し、データベース１５に保存する。
【００８３】
ステップＳ１３２において、顧客データベース管理部３３は、サーバ１６に対して課金データの転送を要求する。ステップＳ１１６において、サーバ１６は、顧客データベース管理部３３から課金データ転送の要求を受ける。
【００８４】
ステップＳ１１７において、サーバ１６は、顧客データベース管理部３３からの課金データ転送要求に基づいて、データベース１５に保存した課金データを、顧客データベース管理部３３に転送する。ステップＳ１３３において、顧客データベース管理部３３は、サーバ１６より転送されてきた課金データを受信する。
【００８５】
ステップＳ１３４において、顧客データベース管理部３３は、ステップＳ１３３で受信した課金データに基づいて、視聴者に対し、PPV番組の視聴料金を請求する。なお、CATVシステム３は、視聴者に対し、PPV番組の購入料金を、定額番組の視聴料金とは別に請求したり、あるいは、定額番組の視聴料金に加算して請求したりすることができる。
【００８６】
ステップＳ１４６において、視聴者は、CATVシステム３からPPV番組の購入料金の請求を受ける。そして、ステップＳ１４７において、視聴者は、決められた日までにPPV番組の購入料金の支払いを行う。ステップＳ１３５において、CATVシステム３は、視聴者からのPPV番組の購入料金を受け取り、手数料を衛星放送サービスシステム１に支払う。
【００８７】
次に、図８のフローチャートを参照して、契約の変更処理について説明する。
【００８８】
ステップＳ１８１において、視聴者（顧客）は、いま契約している衛星放送の契約変更をCATVシステム３に通知する。ステップＳ１７１において、CATVシステム３の顧客データベース管理部３３は、視聴者からの契約変更の通知を受ける。ステップＳ１７２において、顧客データベース管理部３３では、CATVシステム３の担当者により、キーボードが操作され、視聴者から取得した契約の変更情報が入力される（図３）。
【００８９】
必要な変更情報が入力されると、ステップＳ１７３において、顧客データベース管理部３３は、電話回線６−１を介して衛星放送サービスシステム１（サーバ１６）と接続する。ステップＳ１６１において、衛星放送サービスシステム１のサーバ１６は、電話回線６−１を介してCATVシステム３（顧客データベース管理部３３）と接続される。
【００９０】
ステップＳ１７４において、顧客データベース管理部３３は、ステップＳ１７２で入力された変更情報をサーバ１６へ転送する。ステップＳ１６２において、サーバ１６は、CATVシステム３より送信されてきた変更データを受信し、データベース１５に保存（更新）する。ステップＳ１６３において、サーバ１６は、受信したデータの確認を行う（図５）。
【００９１】
ステップＳ１６４において、サーバ１６は、SMS１３を制御し、データベース１５に保存されている更新された契約情報を読み出させ、SAS１７に供給させる。このとき、SAS１７は、SMS１３から送出された契約情報を、ワーク鍵kwと組み合わせてEMMを生成し、各視聴者のICカード４２に固有の個別鍵を用いて暗号化する。SAS１７はまた、ワーク鍵kwを関連情報送出装置１８に出力する。関連情報送出装置１８は、スクランブル鍵ksと番組番号とでECMを生成し、ワーク鍵kwで暗号化する。暗号化されたEMMとECMは、マルチプレクサ２０でコンテンツデータに多重化され、スクランブラ２１に供給される。スクランブラ２１は、このうちのコンテンツデータをスクランブル鍵ksでスクランブルしてアンテナ２２から通信衛星２を介してCATVシステム３のアンテナ３１に送信する。
【００９２】
ステップＳ１７５において、CATVシステム３は、アンテナ３１で受信されたデータを、トランスモジュレータ２２により所定の処理を施し、ケーブルテレビ網４を介して視聴者システム５の受信機４１に再送信（配信）する。ステップＳ１８２において、受信機４１は、送信されてきたデータを受信し、ICカード４２は、ICカード４２に保存されている個別鍵を用いてEMMを復号し、EMMに含まれている契約情報とワーク鍵kwを抽出する。そして、ICカード４２は、復号されたワーク鍵kwおよび契約情報を記憶する。
【００９３】
ステップＳ１６５において、サーバ１６は、顧客データベース管理部３３に対して、契約の変更手続きが終了したことを通知する。ステップＳ１７５において、顧客データベース管理部３３は、サーバ１６より契約の変更手続き終了の通知を受け、処理は終了される。
【００９４】
次に図９のフローチャートを参照して解約処理について説明する。
【００９５】
ステップＳ２１１において、視聴者（顧客）は、いま契約している衛星放送の解約をCATVシステム３に通知する。ステップＳ２０１において、CATVシステム３の顧客データベース管理部３３は、視聴者からの解約通知を受ける。ステップＳ２１２において、視聴者は、受信機４１に装着されているICカード４２をCATVシステム３に返却する。ステップＳ２０２において、CATVシステム３は、視聴者に発行していたICカード４２を回収する。
【００９６】
ステップＳ２０３において、顧客データベース管理部３３では、CATVシステム３の担当者により、キーボードが操作され、解約手続きのための解約情報の入力が行われる。必要な解約情報が入力されると、ステップＳ２０４において、顧客データベース管理部３３は、電話回線６−１を介して衛星放送サービスシステム１（サーバ１６）と接続する。ステップＳ１９１において、衛星放送サービスシステム１のサーバ１６は、電話回線６−１を介してCATVシステム３（顧客データベース管理部３３）と接続される。
【００９７】
ステップＳ２０５において、顧客データベース管理部３３は、ステップＳ２０３で入力された解約情報をサーバ１６へ転送する。ステップＳ１９２において、サーバ１６は、CATVシステム３より送信されてきた解約データを受信する。そして、ステップＳ１９３において、サーバ１６は、受信した解約データに基づいて、データベース１５に保存されている、対応する顧客データを削除し、データベース１５の更新を行う。
【００９８】
ステップＳ１９４において、サーバ１６は、顧客データベース管理部３３に対して、解約手続きが終了したことを通知する。ステップＳ２０６において、顧客データベース管理部３３は、サーバ１６より解約手続き終了の通知を受け、処理は終了される。
【００９９】
以上のように、CATVシステム３が顧客との１次対応（加入手続き、契約変更、解約、および視聴料金の請求など）を行い、課金データ処理などは衛星放送サービスシステム１が行うことで、CATVシステム３にとっては、衛星放送サービスシステム１と同等のサービスが可能になる。また、衛星放送サービスシステム１にとっては、課金データ処理にのみ注力すればよくなり、加入者獲得活動を推進することができる。すなわち、本発明を利用することにより、以下に示すような効果が得られる。
【０１００】
（１）衛星サービス事業者は、CATV事業者に対するサービス（TS信号の供給、EPGデータの供給、および課金データ処理など）を行うことで、衛星からの電波を直接受信できない地域においても、自前のプラットフォームを利用する顧客を増やすことができ、かつ、CATV事業者からも収益を得ることができる。
【０１０１】
（２）衛星サービス事業者はまた、ICカードのID番号により、衛星からの電波を直接受信できる地域の視聴者に直接配信するのか、あるいは、CATV事業者を介して配信するのかを容易に分類することができる。
【０１０２】
（３）CATV事業者は、デジタル配信のための多大な設備投資、EPGデータの生成、および課金データ処理などを、衛星放送サービス事業者に任せることで、その運用費用を低減することができ、かつ、衛星放送サービス事業者が行っているサービスと同等のサービスを顧客に対して実施することができる。
【０１０３】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１０４】
この記録媒体は、コンピュータとは別に、ユーザにプログラムを提供するために配布される、プログラムが記録されている磁気ディスク（フロッピディスクを含む）、光ディスク（CD-ROM（Compact Disk-Read Only Memory），DVD（Digital Versatile Disk）を含む、光磁気ディスク（MD（Mini-Disk）を含む）、若しくは半導体メモリなどよりなるパッケージメディアにより構成されるだけでなく、コンピュータに予め組み込まれた状態でユーザに提供される、プログラムが記録されているROMや、ハードディスクなどで構成される。
【０１０５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１０６】
また、本明細書において、システムとは、複数の装置により構成される装置全体を表すものである。
【０１０７】
【発明の効果】
以上のように、請求項１に記載の送信装置、および請求項２に記載の送信方法によれば、送信側で管理しておらず、情報処理装置側で管理している顧客に対しても、確実に、放送信号を送信することが可能となる。
【０１０８】
また、請求項３に記載の情報処理装置、および請求項５に記載の情報処理方法によれば、送信装置の有料放送信号を、確実に、かつ、低コストで再配信することが可能となる。
【０１０９】
さらにまた、請求項６に記載の受信装置、および請求項７に記載の受信方法によれば、送信装置から送信されてくる有料の放送信号を、情報処理装置からケーブルテレビ網を介して確実に受信することが可能となる。
【図面の簡単な説明】
【図１】本発明を適用したデジタルCATV配信システムの構成例を示すブロック図である。
【図２】図１のCATVシステム３が実行する、データ送信およびデータ確認処理を説明するフローチャートである。
【図３】操作画面のGUIを説明する図である。
【図４】図１の衛星放送サービスシステム１が実行する、課金データ処理を説明するフローチャートである。
【図５】操作画面のGUIを説明する図である。
【図６】加入手続きから視聴料金請求までの処理を説明するフローチャートである。
【図７】  PPV番組の購入処理を説明するフローチャートである。
【図８】契約の変更処理を説明するフローチャートである。
【図９】解約処理を説明するフローチャートである。
【符号の説明】
１  衛星放送サービスシステム，  ２  通信衛星，  ３  CATVシステム，  ４ケーブルテレビ網，  ５  視聴者システム，  １３  SMS，  １４  ビューログ収集システム，  １５  データベース，  １６  サーバ，  １７  SAS，  １８  関連情報送出装置，  １９  エンコーダ，  ２０  マルチプレクサ，  ２１スクランブラ，  ３２  トランスモジュレータ，  ３３  顧客データベース管理部，  ４１  受信機，  ４２  ICカード，  ４３  テレビジョン受像機，  ６１  CATV事業者名入力エリア、  ６２  CATV事業者コード入力エリア，  ６３  パスワード入力エリア，６４  顧客データ入力エリア，  ９１  CATV事業者名入力エリア，  ９２  CATV事業者コード入力エリア，９３−１，９３−２  契約データ表示エリア
【図１】
0004538877.tif 000002
【図２】
0004538877.tif 000003
【図３】
0004538877.tif 000004
【図４】
0004538877.tif 000005
【図５】
0004538877.tif 000006
【図６】
0004538877.tif 000007
【図７】
0004538877.tif 000008
【図８】
0004538877.tif 000009
【図９】
0004538877.tif 000010